(57)【要約】【課題】ポータブルオーディオ機器及びワイヤレスヘッドフォンにそれぞれ搭載されたバッテリの間で、相互に充電を行うことができるワイヤレスヘッドフォンシステムを提供する。【解決手段】第１残量検出手段は第１バッテリの残量を検出し、第２残量検出手段は第２バッテリの残量を検出し、接続検出手段はポータブルオーディオ機器とワイヤレスヘッドフォンとが接続されたことを検出し、充電先決定手段は、ポータブルオーディオ機器とワイヤレスヘッドフォンとが接続されたことが検出された場合に、第１残量検出手段より検出された第１バッテリの残量と第２残量検出手段により検出された第２バッテリの残量とを比較して、所定の条件に基づいて、第１バッテリ又は第２バッテリの何れかを充電先として決定し、充電制御手段は、充電先として決定された一方のバッテリを、他方のバッテリにより充電させる。【選択図】図１
2009065347.tif 000002
【特許請求の範囲】
【請求項１】
第１バッテリが搭載されたポータブルオーディオ機器と、第２バッテリが搭載されたワイヤレスヘッドフォンと、を備えるワイヤレスヘッドフォンシステムにおいて、
前記ポータブルオーディオ機器は、前記第１バッテリの残量を検出する第１残量検出手段を備え、
前記ワイヤレスヘッドフォンは、前記第２バッテリの残量を検出する第２残量検出手段を備え、
前記ポータブルオーディオ機器と前記ワイヤレスヘッドフォンとが接続されたことを検出する接続検出手段と、
前記接続検出手段により、前記ポータブルオーディオ機器と前記ワイヤレスヘッドフォンとが接続されたことが検出された場合に、前記第１残量検出手段より検出された前記第１バッテリの残量と、前記第２残量検出手段により検出された前記第２バッテリの残量とを比較して、所定の条件に基づいて、前記第１バッテリ又は前記第２バッテリの何れかを充電先として決定する充電先決定手段と、
前記充電先決定手段により充電先として決定された一方のバッテリを、他方のバッテリにより充電する充電制御手段と、
を備えることを特徴とするワイヤレスヘッドフォンシステム。
【請求項２】
前記充電先決定手段により前記充電先として決定されたバッテリへの充電量を、所定の条件に基づいて決定する充電量決定手段を備え、
前記充電制御手段は、前記充電量決定手段により決定された充電量だけ充電することを特徴とする請求項１に記載のワイヤレスヘッドフォンシステム。
【請求項３】
前記充電先決定手段は、前記第１残量検出手段より検出された前記第１バッテリの残量及び前記第１バッテリの消費率に基づいて算出した前記ポータブルオーディオ機器の動作可能時間と、前記第２残量検出手段により検出された前記第２バッテリの残量及び前記第２バッテリの消費率に基づいて算出した前記ワイヤレスヘッドフォンの動作可能時間と、に基づいて、動作可能時間が短い方のバッテリを前記充電先として決定し、
前記充電量決定手段は、前記ポータブルオーディオ機器の前記動作可能時間と、前記ワイヤレスヘッドフォンの前記動作可能時間と、が一致するように前記充電量を決定することを特徴とする請求項２に記載のワイヤレスヘッドフォンシステム。
【請求項４】
前記ポータブルオーディオ機器における音量設定値を記憶する記憶手段を備え、
前記充電先決定手段は、前記記憶手段により記憶された前記音量設定値に応じた前記第２バッテリの消費率に基づいて、前記ワイヤレスヘッドフォンの動作可能時間を算出することを特徴とする請求項３に記載のワイヤレスヘッドフォンシステム。
【請求項５】
第１バッテリが搭載されたポータブルオーディオ機器と、第２バッテリが搭載されたワイヤレスヘッドフォンと、を備えるワイヤレスヘッドフォンシステムにおいて、
前記ポータブルオーディオ機器は、前記第１バッテリの残量を検出する第１残量検出手段を備え、
前記ワイヤレスヘッドフォンは、前記第２バッテリの残量を検出する第２残量検出手段を備え、
前記ポータブルオーディオ機器における音量設定値を記憶する記憶手段と、
前記ポータブルオーディオ機器と前記ワイヤレスヘッドフォンとが接続されたことを検出する接続検出手段と、
前記接続検出手段により、前記ポータブルオーディオ機器と前記ワイヤレスヘッドフォンとが接続されたことが検出された場合に、前記第１残量検出手段より検出された前記第１バッテリの残量及び前記第１バッテリの消費率に基づいて算出した前記ポータブルオーディオ機器の動作可能時間と、前記第２残量検出手段により検出された前記第２バッテリの残量及び前記記憶手段により記憶された前記音量設定値に応じた前記第２バッテリの消費率に基づいて算出した前記ワイヤレスヘッドフォンの動作可能時間と、に基づいて、動作可能時間が短い方のバッテリを前記充電先として決定する充電先決定手段と、
前記充電先決定手段により前記充電先として決定されたバッテリへの充電量を、前記ポータブルオーディオ機器の前記動作可能時間と、前記ワイヤレスヘッドフォンの前記動作可能時間と、が一致するように決定する充電量決定手段と、
前記充電先決定手段により充電先として決定された一方のバッテリを、他方のバッテリにより、前記充電量決定手段により決定された充電量だけ充電する充電制御手段と、
を備えることを特徴とするワイヤレスヘッドフォンシステム。
【発明の詳細な説明】
【技術分野】
【０００１】
本発明は、ポータブル機器からワイヤレスヘッドフォンに対して、音声信号を無線伝送するワイヤレスヘッドフォンシステムに関する。
【背景技術】
【０００２】
近年、ポータブルオーディオ機器で再生される音声信号を、無線でワイヤレスヘッドフォンに伝送し、ヘッドフォン側で音声を聴くことができるワイヤレスヘッドフォンシステムが普及している。ワイヤレスヘッドフォンは、ポータブルオーディオ機器との間の接続コードが不要であるため、接続コードが絡まるといった煩わしさを回避することができる。
ポータブルオーディオ機器とワイヤレスヘッドフォンの動作電圧としては、充電することにより繰り返し使用できるバッテリが多く利用される。しかしながら、外出先等のバッテリの充電が難しい状況で電池が切れた場合には、使用できなくなってしまうといった不便な側面がある。
【０００３】
そこで、例えば、ワイヤレスヘッドフォンに搭載されている二次電池が切れた場合に、ワイヤレスヘッドフォンとワイヤレスオーディオプレーヤを、コネクタを介して接続するだけで、ワイヤレスオーディオプレーヤに搭載されている二次電池でもってワイヤレスヘッドフォンに搭載されている二次電池を充電することができる技術が知られている（特許文献１参照）。
これによれば、ワイヤレスヘッドフォンに搭載されている二次電池を交換する必要がなく、特に、外出先で音楽を聴く場合に有用である。
【特許文献１】特開２００６−７４３８４号公報
【発明の開示】
【発明が解決しようとする課題】
【０００４】
しかしながら、必ずしも、ポータブルオーディオ機器側にワイヤレスヘッドフォンに給電できる電源が残されているとは限らず、ポータブルオーディオ機器がワイヤレスヘッドフォンよりも先に電池切れになってしまう可能性もある。そのような場合には、ワイヤレスヘッドフォンが十分に充電されていたとしても、オーディオの再生及び視聴を行うことができなくなってしまう。
【０００５】
本発明の課題は、ポータブルオーディオ機器及びワイヤレスヘッドフォンにそれぞれ搭載されたバッテリの間で、相互に充電を行うことができるワイヤレスヘッドフォンシステムを提供することである。
【課題を解決するための手段】
【０００６】
上記課題を解決するため、請求項１に記載の発明は、第１バッテリが搭載されたポータブルオーディオ機器と、第２バッテリが搭載されたワイヤレスヘッドフォンと、を備えるワイヤレスヘッドフォンシステムにおいて、
前記ポータブルオーディオ機器は、前記第１バッテリの残量を検出する第１残量検出手段を備え、
前記ワイヤレスヘッドフォンは、前記第２バッテリの残量を検出する第２残量検出手段を備え、
前記ポータブルオーディオ機器と前記ワイヤレスヘッドフォンとが接続されたことを検出する接続検出手段と、
前記接続検出手段により、前記ポータブルオーディオ機器と前記ワイヤレスヘッドフォンとが接続されたことが検出された場合に、前記第１残量検出手段より検出された前記第１バッテリの残量と、前記第２残量検出手段により検出された前記第２バッテリの残量とを比較して、所定の条件に基づいて、前記第１バッテリ又は前記第２バッテリの何れかを充電先として決定する充電先決定手段と、
前記充電先決定手段により充電先として決定された一方のバッテリを、他方のバッテリにより充電する充電制御手段と、
を備えることを特徴とする。
【０００７】
請求項２に記載の発明は、請求項１に記載のワイヤレスヘッドフォンシステムにおいて、前記充電先決定手段により前記充電先として決定されたバッテリへの充電量を、所定の条件に基づいて決定する充電量決定手段を備え、
前記充電制御手段は、前記充電量決定手段により決定された充電量だけ充電することを特徴とする。
【０００８】
請求項３に記載の発明は、請求項２に記載のワイヤレスヘッドフォンシステムにおいて、前記充電先決定手段は、前記第１残量検出手段より検出された前記第１バッテリの残量及び前記第１バッテリの消費率に基づいて算出した前記ポータブルオーディオ機器の動作可能時間と、前記第２残量検出手段により検出された前記第２バッテリの残量及び前記第２バッテリの消費率に基づいて算出した前記ワイヤレスヘッドフォンの動作可能時間と、に基づいて、動作可能時間が短い方のバッテリを前記充電先として決定し、
前記充電量決定手段は、前記ポータブルオーディオ機器の前記動作可能時間と、前記ワイヤレスヘッドフォンの前記動作可能時間と、が一致するように前記充電量を決定することを特徴とする。
【０００９】
請求項４に記載の発明は、請求項３に記載のワイヤレスヘッドフォンシステムにおいて、前記ポータブルオーディオ機器における音量設定値を記憶する記憶手段を備え、
前記充電先決定手段は、前記記憶手段により記憶された前記音量設定値に応じた前記第２バッテリの消費率に基づいて、前記ワイヤレスヘッドフォンの動作可能時間を算出することを特徴とする。
【００１０】
請求項５に記載の発明は、第１バッテリが搭載されたポータブルオーディオ機器と、第２バッテリが搭載されたワイヤレスヘッドフォンと、を備えるワイヤレスヘッドフォンシステムにおいて、
前記ポータブルオーディオ機器は、前記第１バッテリの残量を検出する第１残量検出手段を備え、
前記ワイヤレスヘッドフォンは、前記第２バッテリの残量を検出する第２残量検出手段を備え、
前記ポータブルオーディオ機器における音量設定値を記憶する記憶手段と、
前記ポータブルオーディオ機器と前記ワイヤレスヘッドフォンとが接続されたことを検出する接続検出手段と、
前記接続検出手段により、前記ポータブルオーディオ機器と前記ワイヤレスヘッドフォンとが接続されたことが検出された場合に、前記第１残量検出手段より検出された前記第１バッテリの残量及び前記第１バッテリの消費率に基づいて算出した前記ポータブルオーディオ機器の動作可能時間と、前記第２残量検出手段により検出された前記第２バッテリの残量及び前記記憶手段により記憶された前記音量設定値に応じた前記第２バッテリの消費率に基づいて算出した前記ワイヤレスヘッドフォンの動作可能時間と、に基づいて、動作可能時間が短い方のバッテリを前記充電先として決定する充電先決定手段と、
前記充電先決定手段により前記充電先として決定されたバッテリへの充電量を、前記ポータブルオーディオ機器の前記動作可能時間と、前記ワイヤレスヘッドフォンの前記動作可能時間と、が一致するように決定する充電量決定手段と、
前記充電先決定手段により充電先として決定された一方のバッテリを、他方のバッテリにより、前記充電量決定手段により決定された充電量だけ充電する充電制御手段と、
を備えることを特徴とする。
【発明の効果】
【００１１】
本発明によれば、ポータブルオーディオ機器において、第１残量検出手段により、第１バッテリの残量が検出され、ワイヤレスヘッドフォンにおいて、第２残量検出手段により、第２バッテリの残量が検出され、接続検出手段により、ポータブルオーディオ機器とワイヤレスヘッドフォンとが接続されたことが検出され、充電先決定手段により、接続検出手段により、ポータブルオーディオ機器とワイヤレスヘッドフォンとが接続されたことが検出された場合に、第１残量検出手段より検出された第１バッテリの残量と、第２残量検出手段により検出された第２バッテリの残量とが比較されて、所定の条件に基づいて、第１バッテリ又は第２バッテリの何れかが充電先として決定され、充電制御手段により、充電先決定手段により充電先として決定された一方のバッテリが、他方のバッテリにより充電される。
即ち、ポータブルオーディオ機器に搭載された第１バッテリとワイヤレスヘッドフォンに搭載された第２バッテリの何れか一方が充電先として決定され、他方のバッテリにより充電される。したがって、ワイヤレスヘッドフォンシステムにおいて、ポータブルオーディオ機器及びワイヤレスヘッドフォンにそれぞれ搭載されたバッテリの間で、相互に充電を行うことが可能となる。
【発明を実施するための最良の形態】
【００１２】
以下、本発明の実施の形態を、図面を参照しながら詳細に説明する。なお、発明の範囲は図示例に限定されない。
【００１３】
本実施形態のワイヤレスヘッドフォンシステムＳは、図１〜図５に示すように、ポータブルオーディオ機器１００と、ワイヤレスヘッドフォン２００と、を備えて構成される。
ポータブルオーディオ機器１００は、音声データを再生して、再生した音声データをＢｌｕｅｔｏｏｔｈ等の無線方式でワイヤレスヘッドフォン２００に送信する。
ワイヤレスヘッドフォン２００は、接続コード５０で接続された受信機２０及びヘッドフォン３０を備えており、ポータブルオーディオ機器１００から無線送信される音声信号を受信機２０において受信すると、受信した音声信号に基づく音声をヘッドフォン３０から出力させる。
【００１４】
ポータブルオーディオ機器１００及びワイヤレスヘッドフォン２００の各々には、充放電が可能な第１バッテリ１４１及び第２バッテリ２４１が搭載されている。ここで、ポータブルオーディオ機器１００及びワイヤレスヘッドフォン２００の充電方法について説明する。なお、図１、図４、図５において、破線は電源の流れを示している。
ポータブルオーディオ機器１００に搭載された第１バッテリ１４１は、図示しない電源コンセントに、ＡＣアダプタ４０を介して接続されることにより充電される。ＡＣアダプタ４０は、図示は省略するが、変圧器、整流器、安定化回路を備えて構成され、コンセントから得た交流電源を変圧器及び整流器により直流低圧電源とし、安定化回路により安定化させた後に、第１電源ユニット１４の充電回路２４５により、第１バッテリ１４１に電源を供給する。
【００１５】
また、本発明のポータブルオーディオ機器１００及びワイヤレスヘッドフォン２００は、それぞれに搭載された自身のバッテリ（第１バッテリ１４１／第２バッテリ２４１）を用いて、互いに充電し合うことができるように構成されている。
ポータブルオーディオ機器１００の機器本体部１の裏面部１ａには、図３に示すように、ワイヤレスヘッドフォン２００の受信機２０を装着可能な装着部１０が設けられており、この装着部１０にワイヤレスヘッドフォン２００の受信機２０が挿入されると、装着部１０の内部に設けられたピン状の充電端子１４７が、受信機２０側の孔状の充電端子２４７に嵌合して、ポータブルオーディオ機器１００とワイヤレスヘッドフォン２００とが電気的に接続される。そして、ポータブルオーディオ機器１００に搭載された第１バッテリ１４１とワイヤレスヘッドフォン２００に搭載された第２バッテリ２４１の何れか一方を充電先として、他方のバッテリにより充電が行われる。ポータブルオーディオ機器１００及びワイヤレスヘッドフォン２００間で行われる充電については、以下で詳細に説明する。
【００１６】
（ワイヤレスヘッドフォンの構成）
次に、ワイヤレスヘッドフォン２００の要部構成について、図４を参照しながら説明する。
ワイヤレスヘッドフォン２００は、受信機２０とヘッドフォン３０とが、巻取り可能な接続コード５０により接続されて成る。受信機２０は、表示部２１、操作部２２、オーディオ受信・出力ユニット２３、第２電源ユニット２４、制御部２５等を備え、第２バッテリ２４１を電源として動作する。
【００１７】
表示部２１は、例えば、液晶ディスプレイ、ＥＬ（Electro Luminescence）ディスプレイ、ＬＥＤ（Light Emitting Diode）ディスプレイ等であり、ポータブルオーディオ機器１００との充電に際して、充電中である旨や充電が終了した旨を報知する画面、各種メニュー画面、現在再生中の音楽に関する情報、各種映像等を表示させる。
【００１８】
操作部２２は、例えば、各種操作キー２２１、…を備え、ユーザによる操作に基づいて、押下された操作キー２２１、…に対応する入力操作信号を制御部２５に出力する。操作部２２では、例えば、音声の音量を設定する音量設定操作を行うことができる。
【００１９】
オーディオ受信・出力ユニット２３は、無線通信部２３１、信号処理部２３２を備える。
【００２０】
無線通信部２３１は、例えば、アンテナ２３１ａを備え、ポータブルオーディオ機器１００の無線通信部１３１との間で、Ｂｌｕｅｔｏｏｔｈ等の無線方式により通信を行う。具体的には、例えば、無線通信部１３１から送信された音声信号を受信して、受信した音声信号を信号処理部２３２に出力する。
信号処理部２３２は、無線通信部２３１から出力される音声信号に対して復調・復号処理を行い、接続コード５０を介してヘッドフォン３０に出力する。
ヘッドフォン３０は、左側ヘッドフォン３０Ｌ及び右側ヘッドフォン３０Ｒから成る。左側ヘッドフォン３０Ｌ及び右側ヘッドフォン３０Ｒのそれぞれは、Ｄ／Ａ変換部（図示省略）、増幅部（図示省略）、スピーカ（図示省略）等を備え、信号処理部２３２から接続コード５０を介して送られてくる音声データをＤ／Ａ変換して増幅し、スピーカから音を出力させる。
【００２１】
第２電源ユニット２４は、例えば、第２バッテリ２４１、電流センサ２４２、温度センサ２４３、残量メモリ２４４、充電回路２４５、電圧変換部２４６、充電端子２４７等を備える。
【００２２】
第２バッテリ２４１は、例えば、リチウムイオン電池等の充電可能なバッテリである。
電流センサ２４２は、例えば、第２バッテリ２４１と直列に接続された抵抗であり、抵抗の両端の電圧に基づいて、第２バッテリ２４１の充電電流及び放電電流を計測する。
温度センサ２４３は、第２バッテリ２４１の温度を検出する。
残量メモリ２４４は、後述する第２残量検出プログラム２５５ａの実行において検出された第２バッテリ２４１の電気残量を記憶する。
充電回路２４５は、制御部２５からの制御出力に応じて、第２バッテリ２４１に対する充電及び放電を制御する。リチウムイオン電池に対しては、例えば、定電圧定電流方式により充電が行われる。
電圧変換部２４６は、第２バッテリ２４１に蓄えられた電圧を、ワイヤレスヘッドフォン２００の各部に供給可能な電圧に変換して出力する。
充電端子２４７は、ポータブルオーディオ機器１００側の充電端子１４７と接続され、この充電端子２４７、１４７を介して、ポータブルオーディオ機器１００との間で相互に充電が行われる。
【００２３】
制御部２５は、ＣＰＵ（Central Processing Unit）２５１、計時処理を行う計時部２５２、ＲＡＭ（Random Access Memory）２５３、ＥＰＲＯＭ（Erasable Programmable ROM）２５４、ＲＯＭ（Read Only Memory）２５５等を備えて構成されている。
【００２４】
ＣＰＵ２５１は、各部から入力された入力信号に応じて、ＲＯＭ２５５に格納された各種プログラムを実行するとともに、実行にかかるプログラムに基づいて各部に出力信号を出力することにより、ポータブルオーディオ機器１００の動作全般を統括制御する。
【００２５】
ＲＡＭ２５３は、例えば、ＣＰＵ２５１によって各種プログラムが実行される際に生じる処理結果や、入力されたデータ等を記憶する。
【００２６】
ＲＯＭ２５５は、不揮発性メモリから成るプログラム格納エリアを有しており、具体的には、第２残量検出プログラム２５５ａ等を記憶している。
【００２７】
第２残量検出プログラム２５５ａは、例えば、ＣＰＵ２５１に、第２バッテリ２４１の残量を検出する機能を実現させるためのプログラムである。
本実施形態のバッテリ残量検出方法としては、例えば、所定周期毎に、充電電気量・放電電気量・自己放電量を算出して、算出した電気量を前回の計測において検出された残量に演算することにより、新たな残量を求める方法を用いる。
【００２８】
具体的には、ＣＰＵ２５１は、第２バッテリ２４１の充電時には、電流センサ２４２により検出された充電電流値と充電時間の積算値に、充電効率（アンペアアワー効率）を演算することにより、充電電気量を算出する。そして、算出した充電電気量を、前回の計測に際して残量メモリ２４４に記憶された第２バッテリ２４１の電気残量に加算して、第２バッテリ２４１の残量を検出する。充電効率は、温度センサ２４３により検出される第２バッテリ２４１の温度、電流センサ２４２により検出される電流等に応じた充電効率が、予め用意されたテーブルから読み出されて用いられる。
また、第２バッテリ２４１の放電時には、電流センサ２４２により検出された放電電流値と放電時間の積算積に、放電効率を演算することにより、放電電気量を算出する。そして、算出した放電電気量を、残量メモリ２４４に記憶された第２バッテリ２４１の電気残量から減算して、第２バッテリ２４１の残量を検出する。放電効率は、温度センサ２４３により検出される第２バッテリ２４１の温度、電流センサ２４２により検出される電流等に応じた放電効率が、予め用意されたテーブルから読み出されて用いられる。
また、充放電時以外であっても、第２バッテリ２４１に蓄えられた電気残量は減少するため、非充放電時には、残量メモリ２４４に記憶された第２バッテリ２４１の電気残量から、自己放電量を減算して、第２バッテリ２４１の残量の検出を行う。自己放電量は、温度センサ２４３により検出される第２バッテリ２４１の温度等に応じた自己放電量が、予め用意されたテーブルから読み出されて用いられる。
【００２９】
ＣＰＵ２５１は、新たな残量を検出する度に、検出した残量を残量メモリ２４４に記憶させ、残量メモリ２４４を更新する。
ＣＰＵ２５１は、かかる第２残量検出プログラム２５５ａを実行することにより、第２残量検出手段として機能する。
【００３０】
なお、バッテリ残量の検出方法は、上記に例示した方法に限られず、任意の方法を用いることができる。例えば、バッテリの電圧値を検出して、電圧値と残量とが対応付けられたテーブルを参照することにより、残量を算出する方法を用いても良い。
【００３１】
（ポータブルオーディオ機器）
次に、ポータブルオーディオ機器１００の要部構成について説明する。
ポータブルオーディオ機器１００は、例えば、図５に示すように、機器本体部１に、表示部１１、操作部１２、オーディオ再生送信ユニット１３、第１電源ユニット１４、制御部１５等を備え、第１バッテリ１４１を電源として動作する。
【００３２】
表示部１１は、例えば、液晶ディスプレイ、ＥＬ（Electro Luminescence）ディスプレイ、ＬＥＤ（Light Emitting Diode）ディスプレイ等であり、商用電源による充電又はワイヤレスヘッドフォン２００との充電に際して、充電中である旨や充電が終了した旨を報知する画面、各種メニュー画面、再生中の音楽に関する情報、各種映像等を表示させる。
【００３３】
操作部１２は、例えば、円形に形成されており、ユーザによる操作に対応する入力操作信号を制御部１５に出力する。操作部１２では、例えば、音声の音量を設定する音量設定操作を行うことができる。
【００３４】
オーディオ再生送信ユニット１３は、例えば、コンテンツメモリ１３１、再生部１３２、信号処理部１３３、無線通信部１３４等を備える。
【００３５】
コンテンツメモリ１３１は、ハードディスク（Hard Disk）、フラッシュメモリ等であり、音声データを記憶する。当該コンテンツメモリ１３１は、機器本体部１に内蔵されていても良く、また、機器本体部１に対して着脱可能であっても良い。
再生部１３２は、コンテンツメモリ１３１に記憶された音声データを読み出す。
信号処理部１３３は、再生部１３２により読み出された音声データに対して変調処理を行い、無線通信部１３４に出力する。
無線通信部１３４は、例えば、アンテナ１３４ａを備え、ワイヤレスヘッドフォン２００の無線通信部２３１との間で、Ｂｌｕｅｔｏｏｔｈ等の無線方式により通信を行う。具体的には、例えば、信号処理部１３３から出力される変調された音声信号を、ワイヤレスヘッドフォン２００の受信機２０に送信する。
【００３６】
第１電源ユニット１４は、例えば、第１バッテリ１４１、電流センサ１４２、温度センサ１４３、残量メモリ１４４、充電回路１４５、電圧変換部１４６、充電端子１４７等を備える。
【００３７】
第１バッテリ１４１は、例えば、リチウムイオン電池等の充電可能なバッテリである。なお、ワイヤレスヘッドフォン２００に搭載されている第２バッテリ２４１と異なる種類のバッテリであっても良い。
電流センサ１４２は、例えば、第１バッテリ１４１と直列に接続された抵抗であり、抵抗の両端の電圧に基づいて、第１バッテリ１４１の充電電流及び放電電流を計測する。
温度センサ１４３は、第１バッテリ１４１の温度を検出する。
残量メモリ１４４は、後述する第１残量検出プログラム１５５ａの実行において検出された第１バッテリ１４１の電気残量を記憶する。
充電回路１４５は、制御部１５からの制御出力に応じて、第１バッテリ１４１に対する充電及び放電を制御する。
電圧変換部１４６は、第１バッテリ１４１に蓄えられた電圧を、ポータブルオーディオ機器１００の各部に供給可能な電圧に変換して出力する。
充電端子１４７は、ワイヤレスヘッドフォン２００の受信機２０側の充電端子２４７と接続され、この充電端子１４７、２４７を介して、ワイヤレスヘッドフォン２００との間で相互に充電が行われる。
【００３８】
制御部１５は、ＣＰＵ（Central Processing Unit）１５１、計時処理を行う計時部１５２、ＲＡＭ（Random Access Memory）１５３、ＥＰＲＯＭ（Erasable Programmable ROM）１５４、ＲＯＭ（Read Only Memory）１５５等を備えて構成されている。
【００３９】
ＣＰＵ１５１は、各部から入力された入力信号に応じて、ＲＯＭ１５５に格納された各種プログラムを実行するとともに、実行にかかるプログラムに基づいて各部に出力信号を出力することにより、ポータブルオーディオ機器１００の動作全般を統括制御する。
【００４０】
ＲＡＭ１５３は、例えば、ＣＰＵ１５１によって各種プログラムが実行される際に生じる処理結果や、入力されたデータ等を記憶する。
ＥＰＲＯＭ１５４は、例えば、設定記憶部１５４ａ及び電力消費率記憶部１５４ｂと、を備える。
設定記憶部１５４ａは、ポータブルオーディオ機器１００の操作部１２又はワイヤレスヘッドフォン２００の操作部２２において設定された音量設定値を記憶する。
電力消費率記憶部１５４ｂは、例えば、ポータブルオーディオ機器１００の電力消費率と、ワイヤレスヘッドフォン２００の電力消費率を、音量設定値別に記憶する。
【００４１】
ＲＯＭ１５５は、不揮発性メモリから成るプログラム格納エリアを有しており、具体的には、第１残量検出プログラム１５５ａ、記憶プログラム１５５ｂ、接続検出プログラム１５５ｃ、充電先決定プログラム１５５ｄ、充電量決定プログラム１５５ｅ、充電制御プログラム１５５ｆ等を備えている。
【００４２】
第１残量検出プログラム１５５ａは、例えば、ＣＰＵ１５１に、第１バッテリ１４１の残量を検出する機能を実現させるためのプログラムである。
第１残量検出プログラム１５５ａによるバッテリ残量検出方法としては、例えば、既に説明した第２残量検出プログラム２５５ａによるバッテリ残量検出方法と同様の方法を用い、所定周期毎に、充電電気量・放電電気量・自己放電量を算出して、算出した電気量を前回の計測において検出された残量に演算することにより、新たな残量を求める。
第１残量検出プログラム１５５ａの実行により検出された残量は残量メモリ１４４に記憶される。
ＣＰＵ１５１は、かかる第１残量検出プログラム１５５ａを実行することにより、第１残量検出手段として機能する。
【００４３】
記憶プログラム１５５ｂは、例えば、ＣＰＵ１５１に、ポータブルオーディオ機器１００における音量設定値を記憶する機能を実現させるためのプログラムである。
具体的には、ＣＰＵ１５１は、ポータブルオーディオ機器１００の操作部１２又はワイヤレスヘッドフォン２００の受信機２０に設けられた操作部２２において、音声の音量を設定する操作が行われると、設定された音量の設定値を、設定記憶部１５４ａに記憶させる。なお、音量設定値を記憶する設定記憶部は、ワイヤレスヘッドフォン２００側に設けられていても良い。
ＣＰＵ１５１は、かかる記憶プログラム１５５ｂを実行することにより、設定記憶部１５４ａとともに記憶手段として機能する。
【００４４】
接続検出プログラム１５５ｃは、例えば、ＣＰＵ１５１に、ポータブルオーディオ機器１００とワイヤレスヘッドフォン２００とが接続されたことを検出する機能を実現させるためのプログラムである。
具体的には、ポータブルオーディオ機器１００の裏面に設けられた装着部１０に、ワイヤレスヘッドフォン２００の受信機２０が挿入されると、ポータブルオーディオ機器１００の充電端子１４７と、受信機２０の充電端子２４７とが接続される。ＣＰＵ１５１は、例えば、ポータブルオーディオ機器１００の充電端子１４７からの信号に基づいて、受信機２０の充電端子２４７が接続されたことを検出する。
ＣＰＵ１５１は、かかる接続検出プログラム１５５ｃを実行することにより、接続検出手段として機能する。
【００４５】
充電先決定プログラム１５５ｄは、例えば、ＣＰＵ１５１に、接続検出プログラム１５５ｃの実行により、ポータブルオーディオ機器１００とワイヤレスヘッドフォン２００とが接続されたことが検出された場合に、第１残量検出プログラム１５５ａより検出された第１バッテリ１４１の残量及び第１バッテリ１４１の消費率に基づいて算出したポータブルオーディオ機器１００の動作可能時間と、第２残量検出プログラム２５５ａにより検出された第２バッテリ２４１の残量及び第２バッテリ２４１の消費率に基づいて算出したワイヤレスヘッドフォン２００の動作可能時間と、に基づいて、動作可能時間が短い方のバッテリを充電先として決定する機能を実現させるためのプログラムである。充電先決定プログラム１５５ｄは、記憶プログラム１５５ｂの実行により記憶された音量設定値に応じた第２バッテリ２４１の消費率に基づいて、充電先を決定する。
ＣＰＵ１５１は、かかる充電先決定プログラム１５５ｄを実行することにより、充電先決定手段として機能する。
【００４６】
充電量決定プログラム１５５ｅは、例えば、ＣＰＵ１５１に、充電先決定プログラム１５５ｄの実行により充電先として決定されたバッテリへの充電量を、ポータブルオーディオ機器１００の動作可能時間と、ワイヤレスヘッドフォン２００の動作可能時間と、が一致するように決定する機能を実現させるためのプログラムである。
ＣＰＵ１５１は、かかる充電量決定プログラム１５５ｅを実行することにより、充電量決定手段として機能する。
【００４７】
ここで、充電先決定プログラム１５５ｄ及び充電量決定プログラム１５５ｅによる充電先及び充電量の決定方法の具体例について説明する。
ＣＰＵ１５１は、ポータブルオーディオ機器１００とワイヤレスヘッドフォン２００とが接続されると、ポータブルオーディオ機器１００の第１電源ユニット１４に備わる残量メモリ１４４から、第１バッテリ１４１の残量を取得するとともに、ワイヤレスヘッドフォン２００の第２電源ユニット２４に備わる残量メモリ２４４から第２バッテリ２４１の残量を取得する。また、ＣＰＵ１５１は、ポータブルオーディオ機器１００の電力消費率と、ワイヤレスヘッドフォンの電力消費率を、電力消費率記憶部１５４ｂから取得する。ここで、ワイヤレスヘッドフォン２００の電力消費率（消費率）は、音量の大きさにより変わるため、ＣＰＵ１５１は、現在設定されている音量の音量設定値を設定記憶部１５４ａから取得し、現在設定されている音量設定値に対応するワイヤレスヘッドフォン２００の電力消費率を取得する。
そして、第１バッテリ１４１の残量とポータブルオーディオ機器１００の電力消費率からポータブルオーディオ機器１００の動作可能時間を算出する。また、第２バッテリ２４１の残量とワイヤレスヘッドフォン２００の音量設定値に対応する電力消費率に基づいて、第２バッテリ２４１の動作可能時間を算出する。さらに、動作可能時間が短い方のバッテリを充電先として決定するとともに、ポータブルオーディオ機器１００の動作可能時間と、ワイヤレスヘッドフォン２００の動作可能時間とが一致するように、第１バッテリ１４１と、第２バッテリ２４１のそれぞれに必要な充電量を算出する。さらに、充電先の不足電気量と充電先の過剰電気量を算出して、充電元のバッテリから充電先のバッテリに給電する充電量を決定する。
なお、説明は省略するが、音量設定値のみならず、例えば、バッテリの温度、放置期間、残存寿命、残量等に対応する電力消費率を用いて、ポータブルオーディオ機器１００及びワイヤレスヘッドフォン２００の動作可能時間をより正確に予測し、より適切な充電量を算出しても良い。また、充電先及び充電量の決定方法は、上記方法に限られず、第１バッテリ１４１及び第２バッテリ２４１の残量から、所定の演算式を用いて、動作可能時間を算出せずに充電先と充電量を算出しても良い。
【００４８】
充電制御プログラム１５５ｆは、例えば、ＣＰＵ１５１に、充電先決定プログラム１５５ｄの実行により充電先として決定された一方のバッテリ（第１バッテリ１４１／第２バッテリ２４１）を、他方のバッテリ（第１バッテリ１４１／第２バッテリ２４１）により、充電量決定プログラム１５５ｅの実行により決定された充電量だけ充電する機能を実現させるためのプログラムである。
具体的には、ＣＰＵ１５１は、第１バッテリ１４１及び第２バッテリ２４１がそれぞれ充電先及び充電元として決定され、ポータブルオーディオ機器１００とワイヤレスヘッドフォン２００の動作可能時間が一致するよう、充電元のバッテリから充電先のバッテリに給電すべき充電量が決定されると、充電回路１４５、充電回路２４５を制御して、充電元のバッテリから、充電先のバッテリに対して、充電端子１４７、２４７を介して、決定された充電量だけ給電する。
これにより、ポータブルオーディオ機器１００とワイヤレスヘッドフォン２００とが、同じ時間だけ動作可能となる。即ち、ポータブルオーディオ機器１００又はワイヤレスヘッドフォン２００の何れか一方が先に電池切れになってしまうことがなく、システム全体に蓄えられている電源を有効に利用して、オーディオの再生及び視聴が可能な時間を、最大限延ばすことができる。
ＣＰＵ１５１は、かかる充電制御プログラム１５５ｆを実行することにより、充電制御手段として機能する。
【００４９】
次に、図６のフローチャートを参照しながら、ポータブルオーディオ機器１００とワイヤレスヘッドフォン２００との間で行われる充電処理について説明する。
まず、ステップＳ１において、ＣＰＵ１５１は、充電端子１４７からの信号に基づいて、ポータブルオーディオ機器１００とワイヤレスヘッドフォン２００とが接続されたことを検出すると、ステップＳ２において、残量メモリ１４４から第１バッテリ１４１の残量を取得し、残量メモリ２４４から第２バッテリ２４１の残量を取得する。
ステップＳ３において、ＣＰＵ１５１は、設定記憶部１５４ａから、現在設定されている音量設定値を取得する。そして、ステップＳ４において、電力消費率記憶部１５４ｂから、ポータブルオーディオ機器１００の電力消費率と、設定記憶部１５４ａに記憶されている音量設定値に対応するワイヤレスヘッドフォン２００の電力消費率と、を取得する。
続くステップＳ５において、ＣＰＵ１５１は、残量メモリ１４４から読み出した第１バッテリ１４１の残量及びポータブルオーディオ機器１００の電力消費率と、残量メモリ２４４から読み出した第２バッテリ２４１の残量及び現在設定されている音量設定値に応じたワイヤレスヘッドフォン２００の電力消費率に基づいて、ポータブルオーディオ機器１００の動作可能時間と、ワイヤレスヘッドフォン２００の動作可能時間とを算出し、動作可能時間が短い方のバッテリを充電先のバッテリとして決定する。さらに、ポータブルオーディオ機器１００の動作可能時間とワイヤレスヘッドフォンの動作可能時間が一致するように、充電元のバッテリから充電先のバッテリに充電する充電量を決定する。
そして、ステップＳ６において、充電先のバッテリに対して、他方のバッテリから、決定された充電量の電源を給電し、本処理を終了する。
【００５０】
以上説明した本実施形態におけるワイヤレスヘッドフォンシステムＳによれば、ポータブルオーディオ機器１００において、第１残量検出プログラム１５５ａの実行により、第１バッテリ１４１の残量が検出され、ワイヤレスヘッドフォン２００において、第２残量検出プログラム２５５ａの実行により、第２バッテリ２４１の残量が検出され、接続検出プログラム１５５ｃにより、ポータブルオーディオ機器１００とワイヤレスヘッドフォン２００とが接続されたことが検出され、充電先決定プログラム１５５ｄの実行により、接続検出プログラム１５５ｃにより、ポータブルオーディオ機器１００とワイヤレスヘッドフォン２００とが接続されたことが検出された場合に、第１残量検出プログラム１５５ａにより検出された第１バッテリ１４１の残量と、第２残量検出プログラム２５５ａにより検出された第２バッテリ２４１の残量とが比較されて、所定の条件に基づいて、第１バッテリ１４１又は第２バッテリ２４１の何れかが充電先として決定され、充電制御プログラム１５５ｆの実行により、充電先決定プログラム１５５ｄにより充電先として決定された一方のバッテリ（第１バッテリ１４１／第２バッテリ２４１）が、他方のバッテリ（第１バッテリ１４１／第２バッテリ２４１）により充電される。
即ち、ポータブルオーディオ機器１００に搭載された第１バッテリ１４１とワイヤレスヘッドフォン２００に搭載された第２バッテリ２４１の何れか一方が充電先として決定され、他方のバッテリにより充電される。したがって、ワイヤレスヘッドフォンシステムＳにおいて、ポータブルオーディオ機器１００及びワイヤレスヘッドフォン２００にそれぞれ搭載されたバッテリの間で、相互に充電を行うことが可能となる。
【００５１】
また、充電量決定プログラム１５５ｅの実行により、充電先決定プログラム１５５ｄにより充電先として決定されたバッテリへの充電量が、所定の条件に基づいて決定され、充電制御プログラム１５５ｆの実行により、充電量決定プログラム１５５ｅにより決定された充電量だけ充電される。
したがって、充電先として決定されたバッテリを、適切な量だけ充電することができる。
【００５２】
また、記憶プログラム１５５ｂの実行により、ポータブルオーディオ機器１００における音量設定値が記憶され、充電先決定プログラム１５５ｄの実行により、第１残量検出プログラム１５５ａの実行より検出された第１バッテリ１４１の残量及び第１バッテリ１４１の消費率に基づいて算出したポータブルオーディオ機器１００の動作可能時間と、第２残量検出プログラム２５５ａの実行により検出された第２バッテリ２４１の残量及び記録プログラム１５５ｂの実行により記憶された音量設定値に応じた第２バッテリ２４１の消費率に基づいて算出したワイヤレスヘッドフォン２００の動作可能時間と、に基づいて、動作可能時間が短い方のバッテリが充電先として決定され、充電量決定プログラム１５５ｅの実行により、ポータブルオーディオ機器１００の動作可能時間と、ワイヤレスヘッドフォン２００の動作可能時間と、が一致するように充電量が決定される。
これにより、ポータブルオーディオ機器１００とワイヤレスヘッドフォン２００とが、同じ時間だけ動作可能となり、ポータブルオーディオ機器１００又はワイヤレスヘッドフォン２００の何れか一方が先にバッテリ切れになってしまうことがなくなる。即ち、システム全体に蓄えられている電源を有効に利用して、オーディオの再生及び視聴が可能な時間を、最大限延ばすことができる。
また、第２バッテリ２４１の動作可能時間は、音量設定値に応じた第２バッテリ２４１の消費率に基づいて算出されるため、ポータブルオーディオ機器１００及びワイヤレスヘッドフォン２００の動作可能時間をより正確に予測して、より適切な充電先及び充電量を決定することができる。
【００５３】
なお、本発明は、上記実施の形態に限られることなく、本発明の趣旨を逸脱しない範囲において種々の改良並びに設計の変更を行うことができる。
例えば、充電先決定手段は、第１バッテリ１４１と第２バッテリ２４１のうち、残量の少ないバッテリを前記充電先として決定しても良い。また、充電量決定手段は、第１バッテリ１４１と第２バッテリ２４１の残量が一致するように、充電量を決定しても良い。
また、ポータブルオーディオ機器１００は、音声のみを再生可能な機器に限られず、映像の再生が可能な携帯テレビジョン受像機や、電話機能を備える携帯電話機であっても良い。
また、記憶手段、接続検出手段、充電先決定手段、充電量決定手段、充電制御手段の一部又は全部は、ワイヤレスヘッドフォン２００側に設けられていても良い。
また、ワイヤレスヘッドフォン２００の第２電源ユニット２４内の構成（例えば、残量メモリ２４４、充電回路２４５等）は、ポータブルオーディオ機器１００側に設けられていても良い。また、ポータブルオーディオ機器１００の第１電源ユニット１４内の構成が、ワイヤレスヘッドフォン２００側に設けられていても良い。
また、ポータブルオーディオ機器１００及びワイヤレスヘッドフォン２００の接続方法は、上記実施形態の中で例示した方法に限られず、例えば、コード状のコネクタにより接続しても良い。
また、例えば、左側のヘッドフォンと右側のヘッドフォンとに分離したワイヤレスヘッドフォン２００を用いても良い。この場合、左側のヘッドフォン及び右側のヘッドフォンに備わる各バッテリを別々に充電する。
また、予測された動作可能時間を表示部１１、２１に表示して、ユーザに提供する手段を設けても良い。
また、一台のポータブルオーディオ機器１００から、複数のワイヤレスヘッドフォン２００にオーディオ信号を送信する構成であっても良い。この場合には、例えば、各機器の動作可能時間が一致するように、充電先及び充電量を決定して、充電を行う。
また、ポータブルオーディオ機器１００とワイヤレスヘッドフォン２００との間の無線通信方式は、Ｂｌｕｅｔｏｏｔｈ方式に限られず、ＩｒＤＡ方式等の他の通信方式を採用しても良い。
【図面の簡単な説明】
【００５４】
【図１】本実施形態におけるワイヤレスヘッドフォンシステムの全体構成を例示する図である。
【図２】ワイヤレスヘッドフォンシステムを構成するポータブルオーディオ機器及びワイヤレスヘッドフォンの斜視図である。
【図３】ポータブルオーディオ機器及びワイヤレスヘッドフォンの接続例を示す図である。
【図４】ワイヤレスヘッドフォンの要部構成を例示するブロック図である。
【図５】ポータブルオーディオ機器の要部構成を例示するブロック図である。
【図６】ポータブルオーディオ機器とワイヤレスヘッドフォンとの間で行われる充電処理を示すフローチャートである。
【符号の説明】
【００５５】
Ｓ        ワイヤレスヘッドフォンシステム
１        ポータブルオーディオ機器
１４１    第１バッテリ
１５１    ＣＰＵ（第１残量検出手段、記憶手段、接続検出手段、充電先決定手段、充電量決定手段、充電制御手段）
１５４ａ  設定記憶部（記憶手段）
１５５ａ  第１残量検出プログラム（第１残量検出手段）
１５５ｂ  記憶プログラム（記憶手段）
１５５ｃ  接続検出プログラム（接続検出手段）
１５５ｄ  充電先決定プログラム（充電先決定手段）
１５５ｅ  充電量決定プログラム（充電量決定手段）
１５５ｆ  充電制御プログラム（充電制御手段）
２        ワイヤレスヘッドフォン
２４１    第２バッテリ
２５１    ＣＰＵ（第２残量検出手段）
２５５ａ  第２残量検出プログラム（第２残量検出手段）
【図１】
2009065347.tif 000003
【図２】
2009065347.tif 000004
【図３】
2009065347.tif 000005
【図４】
2009065347.tif 000006
【図５】
2009065347.tif 000007
【図６】
2009065347.tif 000008